(57)【要約】      （修正有）【課題】水素ガス吸引具用の水素ガス発生素子であって、水素化カルシウムの粉末が水中に漏れないようにした水素発生素子を提供する。【解決手段】水に濡れる布や紙を折り曲げて作った袋１に入れた水素化カルシウムの粉末２が水中に漏れないように袋の重ね合わせた部分をボンド３で接着し、水中に投入して使用できるようにした。布や紙を浸透する水の量と、袋から放出する水素ガスの量を、袋の表面積に頼るようにした。【選択図】図１
0003229121.tif 000002
【実用新案登録請求の範囲】
【請求項１】
水に濡れる布や紙を折り曲げて作った袋に入れた水素化カルシウムの粉末が水中に漏れないように袋の重ね合わせた部分をボンドで接着し、水中に投入して使用できるようにした水素発生素子。
【請求項２】
袋の開け口はボンドで接着しないで、水素化カルシウムの粉末を袋に適量入れられるようにして、使用するときは水素化カルシウムの粉末が袋から漏れないように、袋の開け口を押さえ金具で挟んで水中に投入するようにした水素発生素子。
【考案の詳細な説明】
【技術の分野】
【０００１】      ＣａＨ２＋２Ｈ２＝Ｃａ（ＯＨ）２＋２Ｈ２
この反応で生じた水素ガスを吸引して、健康寿命を伸ばす水素ガス吸引具が市販されるようになって来た。本考案は、これに使用する水素ガス発生素子に関するものである。
【背景技術】
【０００２】  現在使用されているのは、アルミの筒に水素化カルシウム（ＣａＨ２）の粉末を入れて筒の両端を綿で塞いだ水素ガス発生素子で、これを水に投入して水素ガスを発生させている（図３）。
【考案の開示】
【考案が解決しようとする課題】
【０００３】  しかし、これでは、反応速度を速めるには筒の径を大きくしなければならばい。綿に生じる毛細管現象で浸透して来た水とＣａＨ２が反応して発生した水素ガスに綿がおしだされて、ＣａＨ２の粉末が水中に噴出し、一瞬にして発生した水素ガスで反応槽の内圧が急上昇し、反応槽の栓が飛び出すと言う危険があった。
【課題を解決するための手段】
【０００４】  そこで、水に濡れる布や水に強い紙で作った袋にＣａＨ２の粉末を封入して、袋の全面から浸透して来た水と反応して生じた多量の水素ガスが袋の全面から放出されるようにした（図４）。
【考案の効果】
【０００５】  よって、封入してあるＣａＨ２の粉末が水中に放出される心配が無くなると同時に、水が浸透する面積も水素が噴出する面積も十分大きくすることができるので、短時間で多量の水素ガスを発生させることができる。また、現在は、高い反応熱で綿が焦げないようにアルミの筒を使用しているが、反応熱で袋の内部が高温になっても、薄い布や紙の面を介して外部の水と接しているので、反応熱で袋が破れる心配もない。【０００６】  また、袋の上部をボンドで接着しないで、押さえ金具で挟んで使用するようにすると、一般家庭で適量のＣａＨ２を袋に入れて、適量の水素ガスを発生させて吸引することも可能である（図４）。
【考案を実施するための最良の形態】
【０００７】  本考案に係る水素発生素子は、図１と図２に示したように、布や紙で作った細長い袋１にＣａＨ２の粉末２を入れて、粉末が水中に漏れないようにして水中に投入できるようにしたものである。【０００８】  断面図１は、袋の側面と、上と下の部分をボンド３で接着して、ＣａＨ２を封じ込めるようにしたものである。【０００９】  断面図２は袋の側面と下の部分だけを接着した袋に、入れたＣａＨ２の粉末が水中に漏れないように、上部を押さえ金具で挟んだ状態で水に投入して、一般家庭で水素ガスが吸引できるようにしたものである。
【図面の簡単な説明】
【００１０】
【図１】  本考案に係る密閉形水素発生素子の構造を表す断面である。
【図２】  一般家庭で、ＣａＨ２の粉末の量を自由に調整して、適量の水素ガスが吸引できるようにした断面図である。
【図３】  現在使用されている水素発生素子の使用例を表す断面図である。
【図４】  本考案の密閉型水素発生素子の使用例を表す断面図である。
【図５】  本考案の開放型水素発生素子の使用例を表す断面図である。
【符号の説明】
【００１１】１    布や紙で加工した袋
２    水素化カルシウム（ＣａＨ２）
３    接着ボンド
４    押さえ金具
【図１】
0003229121.tif 000003
【図２】
0003229121.tif 000004
【図３】
0003229121.tif 000005
【図４】
0003229121.tif 000006
【図５】
0003229121.tif 000007
【手続補正書】
【提出日】令和2年8月7日(2020.8.7)
【手続補正１】
【補正対象書類名】実用新案登録請求の範囲
【補正対象項目名】全文
【補正方法】変更
【補正の内容】
【実用新案登録請求の範囲】
【請求項１】
水に濡れる布や紙を折り曲げて作った袋に入れた水素化カルシウムの粉末が水中に漏れないように袋の重ね合わせた部分をボンドで接着し、水中に投入して使用できるようにした水素発生素子。
【手続補正２】
【補正対象書類名】明細書
【補正対象項目名】全文
【補正方法】変更
【補正の内容】
【考案の詳細な説明】
【技術の分野】
【０００１】          ＣａＨ２＋２Ｈ２＝Ｃａ（ＯＨ）２＋２Ｈ２
この反応で生じた水素ガスを吸引して、健康寿命を伸ばす水素ガス吸引具が市販されるようになって来た。本考案は、これに使用する水素ガス発生素子に関するものである。
【背景技術】
【０００２】  現在使用されているのは、アルミの筒に水素化カルシウム（ＣａＨ２）の粉末を入れて筒の両端を綿で塞いだ水素ガス発生素子で、これを水に投入して水素ガスを発生させている（図２）。
【考案の開示】
【考案が解決しようとする課題】
【０００３】  しかし、これでは、反応速度を速めるには筒の径を大きくしなければならばい。綿に生じる毛細管現象で浸透して来た水とＣａＨ２が反応して発生した水素ガスに綿がおしだされて、ＣａＨ２の粉末が水中に噴出し、一瞬にして発生した水素ガスで反応槽の内圧が急上昇し、反応槽の栓が飛び出すと言う危険があった。
【課題を解決するための手段】
【０００４】  そこで、水に濡れる布や水に強い紙で作った袋にＣａＨ２の粉末を封入して、袋の全面から浸透して来た水と反応して生じた多量の水素ガスが袋の全面から放出されるようにした（図３）。
【考案の効果】
【０００５】  よって、封入してあるＣａＨ２の粉末が水中に放出される心配が無くなると同時に、水が浸透する面積も水素が噴出する面積も十分大きくすることができるので、短時間で多量の水素ガスを発生させることができる。また、現在は、高い反応熱で綿が焦げないようにアルミの筒を使用しているが、反応熱で袋の内部が高温になっても、薄い布や紙の面を介して外部の水と接しているので、反応熱で袋が破れる心配もない。
【考案を実施するための最良の形態】
【０００６】  本考案に係る水素発生素子は、図１に示したように、布や紙で作った細長い袋１にＣａＨ２の粉末２を入れて、粉末が水中に漏れないようにして水中に投入できるようにしたものである。【０００７】  断面図１は、袋の側面と、上と下の部分をボンド３で接着して、ＣａＨ２を封じ込めるようにしたものである。
【図面の簡単な説明】
【０００８】
【図１】  本考案に係る密閉形水素発生素子の構造を表す断面である。
【図２】  現在使用されている水素発生素子の使用例を表す断面図である。
【図３】  本考案の密閉型水素発生素子の使用例を表す断面図である。
【符号の説明】
【０００９】  １    布や紙で加工した袋
２    水素化カルシウム（ＣａＨ２）
３    接着ボンド
【手続補正３】
【補正対象書類名】図面
【補正対象項目名】全図
【補正方法】変更
【補正の内容】
【図１】
0003229121.tif 000008
【図２】
0003229121.tif 000009
【図３】
0003229121.tif 000010